【事件の表示】
　特願２０１５−１７００４９号「遊技機」拒絶査定不服審判事件〔平成２８年　２月１２日出願公開、特開２０１６−　２５９０３号〕について、次のとおり審決する。
【結　論】
　本件審判の請求は、成り立たない。
【理　由】
第１　手続の経緯
　本願は、平成２３年２月１０日に出願した特願２０１１−２７４４０号の一部を平成２５年３月１５日に新たな特許出願（特願２０１３−５２６５６号）とし、さらにその一部を平成２７年８月３１日に新たな特許出願（特願２０１５−１７００４９号）としたものであって、平成２８年２月３日に手続補正書が提出され、平成２８年８月５日付けで拒絶の理由が通知され、平成２８年１０月６日に意見書及び手続補正書が提出され、平成２８年１１月２９日付けで最後の拒絶の理由が通知され、平成２９年１月１７日に意見書及び手続補正書が提出されたところ、平成２９年６月２１日付けで、平成２９年１月１７日付け手続補正が却下されるとともに拒絶査定がなされ、それに対して、平成２９年９月１日に拒絶査定不服審判の請求がなされると同時に手続補正がなされ、これに対し、当審において、平成３０年６月６日付けで拒絶の理由が通知され、平成３０年７月２７日に意見書及び手続補正書が提出されたものである。
第２　本願発明
　この出願の請求項１に係る発明（以下「本願発明」という。）は、平成３０年７月２７日付けの手続補正書により補正された特許請求の範囲の請求項１に記載された次のとおりのものと認める（Ａ〜Ｒについては、発明特定事項を分説するため当審で付した。）。
「【請求項１】
Ａ　可変表示を行い、遊技者にとって有利な有利状態に制御可能であるとともに、付与条件が成立したことにもとづいて遊技媒体を付与可能な遊技機であって、
Ｂ　制御を行う際に発生する変動データを記憶する変動データ記憶手段と、
Ｃ　操作に応じて操作信号を出力する初期化操作手段と、
Ｄ　電力供給が開始されたときに、前記初期化操作手段からの前記操作信号が入力されたことにもとづいて、前記変動データ記憶手段の記憶内容を初期化する初期化処理を実行する初期化処理実行手段と、
Ｅ　所定のエラーが発生しているか否かを判定するエラー判定手段と、
Ｆ　少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段と、
Ｇ　可変表示が実行されやすい状態に制御可能な状態制御手段と、
Ｈ　可変表示が実行されやすい状態に制御されているときに、外部に状態信号を出力する状態信号外部出力手段と、
Ｉ　前記付与条件が成立したときに、当該付与条件の成立により遊技媒体の付与予定数が所定数に達することを示す条件成立信号を外部出力する条件成立信号外部出力手段と、
Ｊ　可変表示に関する情報を保留記憶として記憶可能な保留記憶手段と、
Ｋ　前記保留記憶手段が記憶する保留記憶にもとづいて、前記有利状態に制御するかを決定する決定手段と、
Ｌ　前記決定手段の決定より前に、前記有利状態に制御されるかを判定する判定手段と、
Ｍ　前記決定手段の決定結果にもとづいて可変表示を実行する可変表示実行手段と、
Ｎ　前記判定手段の判定結果にもとづいて、当該判定の対象となった可変表示を開始する前に予告演出の実行を制御可能な予告演出制御手段とを備え、
Ｏ　前記セキュリティ信号外部出力手段は、
Ｏ１　前記初期化処理実行手段によって前記初期化処理が実行されたときと前記エラー判定手段によって前記所定のエラーが発生していると判定されたときとで、共通の出力端子から前記セキュリティ信号を外部に出力し、
Ｏ２　前記初期化処理実行手段によって前記初期化処理が実行されたことにもとづいて前記セキュリティ信号を出力しているときに、前記エラー判定手段によって前記所定のエラーが発生していると判定された場合に、前記セキュリティ信号の出力期間を延長し、
Ｐ　前記有利状態には、所定の遊技価値を付与する第１有利状態と、前記第１有利状態よりも低い遊技価値を付与する第２有利状態とがあり、
Ｑ　前記予告演出制御手段は、
Ｑ１　前記保留記憶手段が記憶する保留記憶の数が特定数となっている場合に前記予告演出を制限するとともに、
Ｑ２　前記判定手段によって前記第２有利状態に制御されると判定された場合に前記予告演出を制限する
Ｒ　ことを特徴とする遊技機。」
第３　当審における拒絶の理由の概要
　平成３０年６月６日の当審が通知した拒絶理由の理由の概要は、次のとおりのものである。
　本願の請求項１、２に記載された発明は、その出願前日本国内において頒布された以下の引用文献１に記載された発明、引用文献２に記載された事項及び周知技術に基いて、その出願前にその発明の属する技術の分野における通常の知識を有する者が容易に発明をすることができたものであるから、特許法第２９条第２項の規定により特許を受けることができない。
引用文献１：特開２００９−６１００３号公報 
引用文献２：特開２００１−２３９０３０号公報 
引用文献３：特開２００７−１４３８８３号公報（周知技術を示す文献） 
引用文献４：特開２００７−２４４５３２号公報（周知技術を示す文献） 
引用文献５：特開２０１１−１９６７３号公報（周知技術を示す文献） 
第４　引用文献
１　引用文献１の記載事項
　引用文献１には、以下の事項が図面とともに記載されている（下線は、当審で付した。以下同じ。）。
（１）「【０００８】
　そこで、本発明は、
異常入賞の発生および遊技機の状態異常の発生など複数の異常が発生したことを外部装置に出力できるとともに、外部装置に情報を出力するための機構の部品数の増加や配線作業の複雑化を防ぐ
（２）「【０００９】
　本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、所定の開放条件が成立（例えば、特別図柄の可変表示結果が大当りとなって大当り遊技状態に移行したこと、普通図柄の可変表示結果が当りとなったこと）したときに可変入賞装置を閉鎖状態から開放状態に変化させる可変入賞装置制御手段（例えば、遊技制御用マイクロコンピュータ５６０におけるステップＳ１４７６を実行する部分。遊技制御用マイクロコンピュータ５６０におけるステップＳ４１７１を実行して可変入賞球装置１５を開放状態に制御する部分）と、可変入賞装置に進入した遊技球を検出して入賞検出信号を出力する入賞検出手段（例えば、カウントスイッチ２３、第２始動口スイッチ１４ａ）と、
可変入賞装置制御手段によって可変入賞装置が開放状態に制御されていないときに、入賞検出手段が入賞検出信号を出力したことにもとづいて、異常入賞が発生したと判定する異常入賞判定手段
と、遊技機において異常入賞と異なる所定の異常状態（例えば、磁気異常、振動異常、異常開放）が発生したか否かを判定する異常状態判定手段
異常入賞判定手段によって異常入賞が発生したと判定されたことまたは異常状態判定手段によって所定の異常状態が発生したと判定されたことにもとづいて、遊技機の外部に設けられている外部装置に所定の異常信号を出力するための外部出力手段
外部出力手段は、異常入賞判定手段によって異常入賞が発生したと判定されたときと異常状態判定手段によって所定の異常状態が発生したと判定されたときとで、遊技機に設けられた
共通のコネクタＣＮ９を用いて異常信号をホールコンピュータに出力する
（３）「【００１１】
　
外部出力手段は、
異常状態判定手段によって所定の異常状態が発生したと判定されたときから、外部装置に所定の異常信号を所定期間
出力可能とし、所定の異常信号を出力しているときに、さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に所定の異常信号を所定期間出力
する
図７０に示すように、異常を検出してから３０秒間を経過するまで異常信号を外部出力し、異常信号の外部出力開始してから３０秒を経過するまでに他の異常を検出した場合には、最後に異常を検出してから３０秒を経過するまで異常信号を外部出力する
（４）「【００１２】
　遊技機は、可変表示の第１実行条件が成立（例えば、第１始動入賞口１３への入賞）した後に第１開始条件が成立（例えば変動中でなく大当り中・小当り中でもないとき）したことにもとづいて各々を識別可能な第１識別情報（例えば第１特別図柄）の
可変表示を開始し
第２始動入賞口１４への入賞
したことにもとづいて
可変表示を開始
特定表示結果（例えば大当り図柄）が導出表示されたときに遊技者にとって有利な特定遊技状態（例えば大当り遊技状態）に移行させる遊技機
（５）「【００２１】
実施の形態１．
　以下、本発明の実施の形態を、図面を参照して説明する。まず、遊技機の一例である
パチンコ遊技機１
（６）「【００３６】
　また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、所定条件が成立したときにソレノイド１６によって開放状態とされる。この実施の形態では、後述するように、普通図柄の可変表示結果が当りとなったときに、可変入賞球装置１５が所定時間開放状態とされる。なお、この実施の形態では、
遊技状態が
時短状態（時間短縮状態）であるときには、通常状態であるときと比較して可変入賞球装置１５が長い時間開放状態とされる。可変入賞球装置１５が開放状態になることによって、遊技球が第２始動入賞口１４に入賞可能になり（始動入賞し易くなり）
（７）「【００５７】
　特別図柄の停止図柄が大当り図柄のうちの確変図柄（後述する突然確変図柄を除く。）になると、
大当り遊技状態
確変大当り
一定時間
が経過するまで、または、所定個数
の遊技球が大入賞口に入賞するまで特別可変入賞球装置２０が開放される
ラウンド
１５ラウンド継続される
【００５８】
　また、特別図柄の停止図柄が大当り図柄のうちの非確変図柄になると、
大当り遊技状態
通常大当り
一定時間
が経過するまで、または、所定個数
の遊技球が大入賞口に入賞するまで特別可変入賞球装置２０が開放される
１５ラウンド継続される
【００５９】
　また、特別図柄の停止図柄が特別な確変図柄（以下、突然確変図柄という。）になると、遊技状態が確変状態に突然移行されたように遊技者に認識させる特別な
大当り遊技状態
突然確変大当り
特別可変入賞球装置２０が短い期間
だけ２回開放される
ラウンド
２ラウンドだけ継続される
（８）「【００７６】
　また、
ＲＡＭ５５は、
バックアップＲＡＭである。
遊技状態すなわち遊技制御手段の制御状態に応じたデータ（特別図柄プロセスフラグや合算保留記憶数カウンタの値、時短回数カウンタの値、遊技状態を示すフラグなど）
は、バックアップＲＡＭに保存される。
（９）「【００７８】
　さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、
遊技制御用マイクロコンピュータ５６０の入力ポートには、
クリアスイッチが操作されたことを示すクリア信号が入力される
（１０）「【００７９】
　また、ゲートスイッチ３２ａ、第１始動口スイッチ１３ａ、第２始動口スイッチ１４ａ、カウントスイッチ２３、大入賞口内の磁気異常を検出する磁気センサ９０、遊技機の異常な振動状態を検出する振動センサ９１、大入賞口の開放状態を検出する開放検出センサ９２および入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。さらに、ホールコンピュータ等の外部装置に接続された
情報端子盤３４を介して、
時短信号
を外部装置に出力する情報出力回路６４
（１１）「【０１１５】
　入力ポート２のビット０，１には、それぞれ、電源基板からの電源断信号およびクリアスイッチの検出信号（クリア信号）が入力される。電源断信号は、電源基板に搭載されている電源監視回路が所定電圧の低下を検出したときに出力する信号である。
クリアスイッチは遊技店員等が操作可能なスイッチあり、ＲＡＭ５５を初期化したいときに操作されるスイッチである
（１２）「【０１３３】
　次に、遊技機の動作について説明する。図１２は、
主基板３１における遊技制御用マイクロコンピュータ５６０が実行するメイン処理を示す
【０１３４】
　遊技機に対して
電源が投入され電力供給が開始されると、
・・・
【０１３６】
　次いで、ＣＰＵ５６は、
入力ポートを介して入力されるクリアスイッチ
の出力信号の状態を確認する
。その確認においてオンを検出した場合には、ＣＰＵ５６は、通常の初期化処理を実行する
（１３）「【０１４２】
　
初期化処理では、ＣＰＵ５６は、
ＲＡＭクリア処理を行う
（１４）「【０１５３】
　図１４は、各乱数を示す説明図である。各乱数は、以下のように使用される。
（１）ＭＲ１：
はずれ図柄決定用
（２）ＭＲ２：
大当り種別決定用
（３）ＭＲ３：
変動パターン決定用
（４）ＭＲ４：普通図柄にもとづく当りを発生させるか否か決定する（普通図柄当り判定用）
（５）ＭＲ５：ＭＲ４の初期値を決定する（ＭＲ４初期値決定用）」
（１５）「【０１５９】
　さらに、
ＣＰＵ５６は、例えばホールコンピュータに出力される信号
を出力する情報出力処理を行う（ステップＳ３０）
（１６）「【０１７５】
　この例では、
各変動パターンは、特別図柄（演出図柄）の停止図柄が「はずれ図柄」となる場合の変動パターンと、特別図柄（演出図柄）の停止図柄が「大当り図柄」となる場合の変動パターンと、特別図柄（演出図柄）の停止図柄が「突然確変大当り図柄」となる場合の変動パターンと、特別図柄（演出図柄）の停止図柄が「小当り図柄」となる場合の変動パターンとが設けられている
【０１７６】
　
はずれの変動パターンとして、リーチを伴わない
変動パターンと、
ノーマルリーチ
を伴う変動パターンと、ロングリーチを伴う変動パターンと、スーパーリーチＡを伴う変動パターンと、スーパーリーチＢを伴う変動パターンと、スーパーリーチＣを伴う変動パターンとが設けられ
【０１７７】
　
大当りの変動パターンとして、ノーマルリーチを伴う変動パターンと、ロングリーチを伴う変動パターンと、スーパーリーチＡを伴う変動パターンと、スーパーリーチＢを伴う変動パターンと、スーパーリーチＣを伴う変動パターンと、スーパーリーチＤを伴う変動パターンと
が設けられている
（１７）「【０２１８】
　
特別図柄プロセス処理において、ＣＰＵ５６は、
ステップＳ３００〜Ｓ３１１のうちのいずれかの処理を行う
（１８）「【０２２１】
　
特別図柄通常処理（ステップＳ３００）：
特別図柄の可変表示が開始できる状態になると、保留記憶数
を確認する。
保留記憶数が０でない場合には、大当りとするか否か決定する。
【０２２２】
　
変動パターン設定処理（ステップＳ３０１）：
変動パターンを決定し、
可変表示を開始
する
・・・
【０２２４】
　
特別図柄変動中処理（ステップＳ３０３）：
変動時間が経過
すると、
【０２２５】
　
特別図柄停止処理（ステップＳ３０４）：
可変表示を停止して停止図柄を導出表示させる
（１９）「【０２２９】
　
大当り終了処理（ステップＳ３０８）：
遊技状態を示す
時短フラグ
をセットする処理を行う
（２０）「【０２４４】
　
ＣＰＵ５６は、ソフトウェア乱数（大当り種別決定用乱数等を生成するためのカウンタの値等）、およびランダムＲ（大当り判定用乱数）を抽出し、それらを、
保留記憶バッファにおける保存領域に格納する処理を実行する
。
・・・
【０２４６】
　なお、ステップＳ２１７では、
ＣＰＵ５６は、ソフトウェア乱数としてＭＲ１〜ＭＲ４の値を抽出
する
（２１）「【０２８２】
　次いで、
ＣＰＵ５６
大当り判定用乱数
を読み出し
、
あらかじめ決められている大当り判定値
と大当り判定用乱数とを比較し、それらが一致したら大当り（通常大当り、確変大当りまたは突然確変大当り）
とすることに決定する
・・・
【０２８５】
　ステップＳ７１では、
ＣＰＵ５６
大当り種別決定用乱数を読み出し
、大当り種別決定用乱数にもとづいて、
大当り種別
を決定する
（２２）「【０２９５】
　ステップＳ９３にて小当りフラグがセットされていない場合には（ステップＳ９３のＮ）、ＣＰＵ５６は、合算保留記憶数カウンタの値を確認することにより合算保留記憶数を特定する（ステップＳ９５）。そして、
合算保留記憶数が所定個
以上であるか否か
【０２９６】
　
合算保留記憶数カウンタの値が所定個以上であれば
短縮はずれ用変動パターン判定テーブルをセットする
（２３）「【０３５０】
　なお、ステップＳ４１４５において、
ＣＰＵ５６は、
時短フラグがセットされていれば、セットされていないときと比較して、可変入賞球装置１５の開放時間が長い開放パターン
をセットする
（２４）「【０４２５】
　図６１は、情報端子盤に出力される各種信号を示すブロック図である。図６１に示すように、この実施の形態では、主基板３１に搭載されている
遊技制御用マイクロコンピュータ５６０から情報端子盤３４に対して、
時短信号
賞球情報信号（賞球信号）が情報出力処理（ステップＳ３０）によって出力される。
【０４２６】
　始動口１信号は、第１始動入賞口１３および第２始動入賞口１４への入賞個数を通知するための信号である。図柄確定回数２信号は、第１特別図柄の変動回数を通知するための信号である。図柄確定回数１信号は、第１特別図柄および第２特別図柄の変動回数を通知するための信号である。大当り１信号は、大当り遊技中または小当り遊技中（特別可変入賞球装置の動作中）であることを通知するための信号である。大当り２信号は、大当り遊技中または小当り遊技中（特別可変入賞球装置の動作中）で、または特別図柄の変動時間短縮機能が作動中（時短状態中）であることを通知するための信号である。
時短信号は、特別図柄の変動時間短縮機能が作動中（時短状態中）であることを通知するための信号である
（２５）「【０４８３】
　以上に示したステップＳ１０７５〜Ｓ１１０１の処理によって、賞球カウント信号を１０回カウントする度に賞球信号がホールコンピュータに出力される。すなわち、
１０個の賞球払出が行われる度に賞球信号がホールコンピュータに出力される
（２６）「【０６４３】
　（１）遊技機は、遊技媒体（例えば、遊技球）を用いて遊技者が所定の遊技を行うことが可能であり、
払出条件が成立（例えば、遊技球が入賞口に入賞）したことにもとづいて遊技媒体を遊技者に払い出す遊技機
（２７）「【０７８６】
　また、上記に示した実施の形態において、主基板３１側でリセット信号が入力され
初期化処理が実行されてバックアップＲＡＭがクリアされたときから所定期間にも、情報端子盤３４を介して、初期化が行われたことを示す信号を外部出力するようにしてもよい。この場合、初期化処理が実行されたことにもとづいて、異常入賞や始動異常入賞、磁気異常、振動異常、異常開放が検出されたときに出力する異常信号と同じ信号を外部出力するようにしてもよい
（２８）図７０には、異常信号の出力タイミングを示す波形図が示されている。
　上記（１）〜（２７）の記載事項から、以下の事項が導かれる。
（ａ）上記（４）【００１２】には、「可変表示を開始し・・・特定表示結果（例えば大当り図柄）が導出表示されたときに遊技者にとって有利な特定遊技状態（例えば大当り遊技状態）に移行させる遊技機」と、上記（２７）【０６４３】には、「払出条件が成立（例えば、遊技球が入賞口に入賞）したことにもとづいて遊技媒体を遊技者に払い出す遊技機」と、それぞれ、記載されている。
　よって、引用文献１には、
可変表示を開始し、特定表示結果（例えば大当り図柄）が導出表示されたときに遊技者にとって有利な特定遊技状態（例えば大当り遊技状態）に移行させるとともに、払出条件が成立（例えば、遊技球が入賞口に入賞）したことにもとづいて遊技媒体を遊技者に払い出す遊技機
（ｃ）上記（１１）【０１１５】には、「クリアスイッチは遊技店員等が操作可能なスイッチあり、ＲＡＭ５５を初期化したいときに操作されるスイッチである」と、上記（９）【００７８】には、「遊技制御用マイクロコンピュータ５６０の入力ポートには、・・・クリアスイッチが操作されたことを示すクリア信号が入力される」と、それぞれ、記載されている。
　よって、引用文献１には、
遊技店員等が操作可能で、ＲＡＭ５５を初期化するときに操作されるスイッチであり、操作されたことを示すクリア信号が遊技制御用マイクロコンピュータ５６０の入力ポートに入力されるクリアスイッチ
（ｄ）上記（１２）【０１３３】、【０１３４】、【０１３６】には、「主基板３１における遊技制御用マイクロコンピュータ５６０が実行するメイン処理を示す・・・電源が投入され電力供給が開始されると、・・・入力ポートを介して入力されるクリアスイッチ・・・の出力信号の状態を確認する・・・。その確認においてオンを検出した場合には、ＣＰＵ５６は、通常の初期化処理を実行する」と、上記（１３）【０１４２】には、「初期化処理では、ＣＰＵ５６は、・・・ＲＡＭクリア処理を行う」と、それぞれ、記載されている。
　よって、引用文献１には、
電源が投入され電力供給が開始されると、入力ポートを介して入力されるクリアスイッチの出力信号の状態を確認し、その確認においてオンを検出した場合には、初期化処理としてＲＡＭクリア処理を行うＣＰＵ５６
（ｆ）上記（２）【０００９】の「異常入賞判定手段によって異常入賞が発生したと判定されたことまたは異常状態判定手段によって所定の異常状態が発生したと判定されたことにもとづいて、遊技機の外部に設けられている外部装置に所定の異常信号を出力するための外部出力手段」の記載から、「異常信号を出力する」のは「外部出力手段」といえる。
　そうすると、上記（２７）【０７８６】の「初期化処理が実行されてバックアップＲＡＭがクリアされたときから所定期間にも、情報端子盤３４を介して、初期化が行われたことを示す信号を外部出力するようにしてもよい。この場合、初期化処理が実行されたことにもとづいて、異常入賞や始動異常入賞、磁気異常、振動異常、異常開放が検出されたときに出力する異常信号と同じ信号を外部出力するようにしてもよい」との記載において、「異常信号と同じ信号」を外部出力するのは、「外部出力手段」であるといえる。
　そして、同（２）【０００９】の「可変入賞装置制御手段によって可変入賞装置が開放状態に制御されていないときに、入賞検出手段が入賞検出信号を出力したことにもとづいて、異常入賞が発生したと判定する異常入賞判定手段」、「遊技機において異常入賞と異なる所定の異常状態（例えば、磁気異常、振動異常、異常開放）が発生したか否かを判定する異常状態判定手段」の記載を考慮すると、引用文献１には、
初期化処理が実行されてバックアップＲＡＭがクリアされたことにもとづいて、異常入賞判定手段によって異常入賞（異常入賞、始動異常入賞）が発生したと判定されたこと、または、異常状態判定手段によって所定の異常状態（磁気異常、振動異常、異常開放）が発生したと判定されたことにもとづいて遊技機の外部に設けられている外部装置に出力する異常信号と同じ信号を外部出力する外部出力手段
（ｇ）上記（４）【００１２】には、「第２始動入賞口１４への入賞・・・したことにもとづいて・・・可変表示を開始」することが、上記（６）【００３６】には、「遊技状態が・・・時短状態（時間短縮状態）であるときには、通常状態であるときと比較して可変入賞球装置１５が長い時間開放状態とされる。可変入賞球装置１５が開放状態になることによって、遊技球が第２始動入賞口１４に入賞可能になり（始動入賞し易くなり）」と、上記（１７）【０２１８】には、「特別図柄プロセス処理において、ＣＰＵ５６は、・・・ステップＳ３００〜Ｓ３１１のうちのいずれかの処理を行う」ことが、上記（１９）【０２２９】には、「大当り終了処理（ステップＳ３０８）：・・・遊技状態を示す・・・時短フラグ・・・をセットする処理を行う」ことが、上記（２３）【０３５０】には、「ＣＰＵ５６は、・・・時短フラグがセットされていれば、セットされていないときと比較して、可変入賞球装置１５の開放時間が長い開放パターン・・・をセットする」ことが、それぞれ、記載されている。
　よって、引用文献１には、
入賞すると可変表示を開始する第２始動入賞口１４において、通常状態であるときと比較して可変入賞球装置１５が長い時間開放状態とされ、それによって、遊技球が第２始動入賞口１４に入賞可能になる（始動入賞し易くなる）時短状態（時間短縮状態）を示す時短フラグをセットする処理を行うとともに、時短フラグがセットされていれば、セットされていないときと比較して、可変入賞球装置１５の開放時間が長い開放パターンをセットするＣＰＵ５６
（ｈ）上記（１０）【００７９】には、「情報端子盤３４を介して、・・・時短信号・・・を外部装置に出力する情報出力回路６４」と、上記（２４）【０４２５】、【０４２６】には、「遊技制御用マイクロコンピュータ５６０から情報端子盤３４に対して、・・・時短信号・・・情報出力処理（ステップＳ３０）によって出力される。・・・時短信号は、特別図柄の変動時間短縮機能が作動中（時短状態中）であることを通知するための信号である」と、それぞれ、記載されている。
　よって、引用文献１には、
特別図柄の変動時間短縮機能が作動中（時短状態中）であることを通知するための信号である時短信号を情報出力処理（ステップＳ３０）によって、遊技制御用マイクロコンピュータ５６０から情報端子盤３４を介して外部に出力する情報出力回路６４
（ｉ）上記（１５）【０１５９】には、「ＣＰＵ５６は、例えばホールコンピュータに出力される信号・・・を出力する情報出力処理を行う（ステップＳ３０）」と、上記（２４）【０４２５】には、「遊技制御用マイクロコンピュータ５６０から情報端子盤３４に対して、・・・賞球情報信号（賞球信号）が情報出力処理（ステップＳ３０）によって出力される」と、上記（２５）【０４８３】には、「１０個の賞球払出が行われる度に賞球信号がホールコンピュータに出力される」と、上記（２６）【０６４３】には、「払出条件が成立（例えば、遊技球が入賞口に入賞）したことにもとづいて遊技媒体を遊技者に払い出す遊技機」と、それぞれ、記載されている。
　よって、引用文献１には、
払出条件が成立（例えば、遊技球が入賞口に入賞）したことにもとづいて遊技媒体を遊技者に払い出すときに、１０個の賞球払出が行われる度に賞球信号をホールコンピュータに出力するＣＰＵ５６
（ｊ）上記（２０）【０２４４】、【０２４６】には、「ＣＰＵ５６は、ソフトウェア乱数（大当り種別決定用乱数等を生成するためのカウンタの値等）、およびランダムＲ（大当り判定用乱数）を抽出し、それらを、・・・保留記憶バッファにおける保存領域に格納する処理を実行する・・・。・・・ＣＰＵ５６は、ソフトウェア乱数としてＭＲ１〜ＭＲ４の値を抽出・・・する」と、上記（１４）【０１５３】には、「（１）ＭＲ１：・・・はずれ図柄決定用・・・（２）ＭＲ２：・・・大当り種別決定用・・・（３）ＭＲ３：・・・変動パターン決定用」と、それぞれ、記載されている。
　よって、引用文献１には、
大当り判定用乱数や、はずれ図柄決定用の乱数、大当り種別決定用の乱数、変動パターン決定用の乱数等を、格納する保存領域を有する保留記憶バッファ
（ｍ）上記（１７）【０２１８】には、「特別図柄プロセス処理において、ＣＰＵ５６は、・・・ステップＳ３００〜Ｓ３１１のうちのいずれかの処理を行う」と、上記（１８）【０２２１】〜【０２２５】には、「特別図柄通常処理（ステップＳ３００）：・・・特別図柄の可変表示が開始できる状態になると、保留記憶数・・・を確認する。・・・保留記憶数が０でない場合には、大当りとするか否か決定する。・・・変動パターン設定処理（ステップＳ３０１）：・・・変動パターンを決定し、・・・可変表示を開始・・・する・・・  特別図柄変動中処理（ステップＳ３０３）：・・・変動時間が経過・・・すると、・・・特別図柄停止処理（ステップＳ３０４）：・・・可変表示を停止して停止図柄を導出表示させる」と、それぞれ、記載されている。
　また、上記（１６）【０１７５】には、「各変動パターンは、特別図柄（演出図柄）の停止図柄が「はずれ図柄」となる場合の変動パターンと、特別図柄（演出図柄）の停止図柄が「大当り図柄」となる場合の変動パターンと、特別図柄（演出図柄）の停止図柄が「突然確変大当り図柄」となる場合の変動パターンと、特別図柄（演出図柄）の停止図柄が「小当り図柄」となる場合の変動パターンとが設けられている」と記載されている。
　よって、引用文献１には、
特別図柄の可変表示が開始できる状態になると、保留記憶数を確認し、保留記憶数が０でない場合には、大当りとするか否か決定し、停止図柄が「はずれ図柄」、「大当り図柄」、「突然確変大当り図柄」、「小当り図柄」のいずれかによって変動パターンを決定し、可変表示を開始し、変動時間が経過すると可変表示を停止して停止図柄を導出表示させるＣＰＵ５６
（ｎ）上記（１６）【０１７６】、【０１７７】には、「はずれの変動パターンとして、リーチを伴わない・・・変動パターンと、・・・ノーマルリーチ・・・を伴う変動パターンと、ロングリーチを伴う変動パターンと、スーパーリーチＡを伴う変動パターンと、スーパーリーチＢを伴う変動パターンと、スーパーリーチＣを伴う変動パターンとが設けられ・・・大当りの変動パターンとして、ノーマルリーチを伴う変動パターンと、ロングリーチを伴う変動パターンと、スーパーリーチＡを伴う変動パターンと、スーパーリーチＢを伴う変動パターンと、スーパーリーチＣを伴う変動パターンと、スーパーリーチＤを伴う変動パターンと・・・が設けられている。」と記載されている。
　また、上記（ｍ）より、「ＣＰＵ５６」は、「変動パターンを決定し、可変表示を開始」する。
　よって、引用文献１には、
リーチを伴わない変動パターンと、リーチを伴う変動パターンとから、変動パターンを決定するＣＰＵ５６
　（１）〜（２７）の記載事項、（ａ）〜（ｎ）の認定事項からみて、引用文献１には、以下の発明（以下「引用発明」という。）が記載されているものと認められる（ａ〜ｒは本願発明のＡ〜Ｒに対応させて当審で付した。）。
「ａ　可変表示を開始し、特定表示結果（例えば大当り図柄）が導出表示されたときに遊技者にとって有利な特定遊技状態（例えば大当り遊技状態）に移行させるとともに、払出条件が成立（例えば、遊技球が入賞口に入賞）したことにもとづいて遊技媒体を遊技者に払い出す遊技機であって（認定事項（ａ））、
ｂ　遊技状態すなわち遊技制御手段の制御状態に応じたデータ（特別図柄プロセスフラグや合算保留記憶数カウンタの値、時短回数カウンタの値、遊技状態を示すフラグなど）を保存するＲＡＭ５５と（【００７６】）、
ｃ　遊技店員等が操作可能で、ＲＡＭ５５を初期化するときに操作されるスイッチであり、操作されたことを示すクリア信号が遊技制御用マイクロコンピュータ５６０の入力ポートに入力されるクリアスイッチと（認定事項（ｃ））、
ｄ　電源が投入され電力供給が開始されると、入力ポートを介して入力されるクリアスイッチの出力信号の状態を確認し、その確認においてオンを検出した場合には、初期化処理としてＲＡＭクリア処理を行うＣＰＵ５６と（認定事項（ｄ））、
ｅ　可変入賞装置制御手段によって可変入賞装置が開放状態に制御されていないときに、入賞検出手段が入賞検出信号を出力したことにもとづいて、異常入賞が発生したと判定する異常入賞判定手段と、遊技機において異常入賞と異なる所定の異常状態（例えば、磁気異常、振動異常、異常開放）が発生したか否かを判定する異常状態判定手段と（【０００９】）、
ｆ　初期化処理が実行されてバックアップＲＡＭがクリアされたことにもとづいて、異常入賞判定手段によって異常入賞（異常入賞、始動異常入賞）が発生したと判定されたこと、または、異常状態判定手段によって所定の異常状態（磁気異常、振動異常、異常開放）が発生したと判定されたことにもとづいて遊技機の外部に設けられている外部装置に出力する異常信号と同じ信号を外部出力する外部出力手段と（認定事項（ｆ））、
ｇ　入賞すると可変表示を開始する第２始動入賞口１４において、通常状態であるときと比較して可変入賞球装置１５が長い時間開放状態とされ、それによって、遊技球が第２始動入賞口１４に入賞可能になる（始動入賞し易くなる）時短状態（時間短縮状態）を示す時短フラグをセットする処理を行うとともに、時短フラグがセットされていれば、セットされていないときと比較して、可変入賞球装置１５の開放時間が長い開放パターンをセットするＣＰＵ５６と（認定事項（ｇ））、
ｈ　特別図柄の変動時間短縮機能が作動中（時短状態中）であることを通知するための信号である時短信号を情報出力処理（ステップＳ３０）によって、遊技制御用マイクロコンピュータ５６０から情報端子盤３４を介して外部に出力する情報出力回路６４と（認定事項（ｈ））、
ｉ　払出条件が成立（例えば、遊技球が入賞口に入賞）したことにもとづいて遊技媒体を遊技者に払い出すときに、１０個の賞球払出が行われる度に賞球信号をホールコンピュータに出力するＣＰＵ５６と（認定事項（ｉ））、
ｊ　大当り判定用乱数や、はずれ図柄決定用の乱数、大当り種別決定用の乱数、変動パターン決定用の乱数等を、格納する保存領域を有する保留記憶バッファと（認定事項（ｊ））、
ｋ　大当り判定用乱数を読み出し、あらかじめ決められている大当り判定値と大当り判定用乱数とを比較し、それらが一致したら大当り（通常大当り、確変大当りまたは突然確変大当り）とすることに決定し、大当り種別決定用乱数を読み出し、大当り種別決定用乱数にもとづいて、大当り種別を決定するＣＰＵ５６と（【０２８２】、【０２８５】）、
ｍ　特別図柄の可変表示が開始できる状態になると、保留記憶数を確認し、保留記憶数が０でない場合には、大当りとするか否か決定し、停止図柄が「はずれ図柄」、「大当り図柄」、「突然確変大当り図柄」、「小当り図柄」のいずれかによって変動パターンを決定し、可変表示を開始し、変動時間が経過すると可変表示を停止して停止図柄を導出表示させるＣＰＵ５６と（認定事項（ｍ））、
ｎ　リーチを伴わない変動パターンと、リーチを伴う変動パターンとから、変動パターンを決定するＣＰＵ５６と（認定事項（ｎ））、
ｏ　外部出力手段は（【０００９】、【００１１】）、
ｏ１　異常入賞判定手段によって異常入賞が発生したと判定されたときと異常状態判定手段によって所定の異常状態が発生したと判定されたときとで、遊技機に設けられた共通のコネクタＣＮ９を用いて異常信号をホールコンピュータに出力し【０００９】、
ｏ２　異常入賞判定手段によって異常入賞が発生したと判定されたときまたは異常状態判定手段によって所定の異常状態が発生したと判定されたときから、外部装置に所定の異常信号を所定期間出力可能とし、所定の異常信号を出力しているときに、さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に所定の異常信号を所定期間出力し（【００１１】）、
ｐ　大当り遊技状態には、一定時間が経過するまで、または、所定個数の遊技球が大入賞口に入賞するまで特別可変入賞球装置２０が開放されるラウンドが１５ラウンド継続される確変大当り、通常大当りと、特別可変入賞球装置２０が短い期間だけ２回開放されるラウンドが２ラウンドだけ継続される突然確変大当りとがある（【００５７】〜【００５９】）、
ｒ　パチンコ遊技機１（【００２１】）。」
２　引用文献２の記載事項
　引用文献２には、「パチンコ機」に関して、以下の事項が記載されている。
（１）「 【００１３】第１実施形態の場合、
遊技者の操作で発射された遊技球が
入賞し、
賞球数量情報手段９は賞球指示払出数計数手段６より転送された賞球指示払出数を加算し、加算値である賞球指示払出数の所定単位数量毎に賞球数量情報を主制御部４から球払出制御部２０へのコマンド送信とは無関係に
前記外部情報基板を経由しホールコンピュータ５０に出力
第５　対比
　本願発明と引用発明とを対比する。なお、見出しは（ａ）〜（ｒ）とし、本願発明、引用発明の分説に対応させている。
（ａ）引用発明の「特定遊技状態（例えば大当り遊技状態）」は、「遊技者にとって有利」な状態であるから、本願発明の「有利状態」に相当する。
　よって、引用発明の「可変表示を開始し、特定表示結果（例えば大当り図柄）が導出表示されたときに遊技者にとって有利な特定遊技状態（例えば大当り遊技状態）に移行させる」ことは、本願発明の「可変表示を行い、遊技者にとって有利な有利状態に制御可能である」ことに相当する。
　また、引用発明の「払出条件が成立（例えば、遊技球が入賞口に入賞）したことにもとづいて遊技媒体を遊技者に払い出す」ことは、本願発明の「付与条件が成立したことにもとづいて遊技媒体を付与可能」であることに相当する。
　したがって、引用発明の構成ａは、本願発明の構成Ａに相当する。
（ｂ）引用発明の「遊技状態すなわち遊技制御手段の制御状態に応じたデータ（特別図柄プロセスフラグや合算保留記憶数カウンタの値、時短回数カウンタの値、遊技状態を示すフラグなど）」は、本願発明の「制御を行う際に発生する変動データ」に相当する。
　よって、引用発明の「ＲＡＭ５５」は、本願発明の「変動データ記憶手段」に相当する。
　したがって、引用発明の構成ｂは、本願発明の構成Ｂに相当する。
（ｃ）引用発明の「クリアスイッチ」は、「ＲＡＭ５５を初期化するときに操作されるスイッチ」であるから、本願発明の「初期化操作手段」に相当する。
　そして、引用発明の「クリア信号」は、「遊技店員等が操作可能で」ある「クリアスイッチ」が「操作されたことを示」すものであり、「クリアスイッチ」が「操作された」ときに出力され、「遊技制御用マイクロコンピュータ５６０の入力ポートに入力」されるものであるから、本願発明の「初期化操作手段」の「操作に応じて」「出力」される「操作信号」に相当する。
　よって、引用発明の構成ｃは、本願発明の構成Ｃに相当する。
（ｄ）上記（ｃ）での検討を踏まえると、引用発明の「入力ポートを介して入力されるクリアスイッチの出力信号」は「クリア信号」といえるから、本願発明の「操作信号」に相当する。
　そして、上記（ｃ）より、引用発明の「クリアスイッチ」は、本願発明の「初期化操作手段」に相当するから、引用発明の「入力ポートを介して入力されるクリアスイッチの出力信号の状態を確認し、その確認においてオンを検出した場合」は、本願発明の「前記初期化操作手段からの前記操作信号が入力されたことにもとづ」くことに相当する。
　また、上記（ｂ）より、引用発明の「ＲＡＭ」は、本願発明の「変動データ記憶手段」に相当するから、引用発明の「初期化処理としてＲＡＭクリア処理を行う」ことは、本願発明の「前記変動データ記憶手段の記憶内容を初期化する初期化処理を実行する」ことに相当する。
　よって、引用発明の構成ｄの「ＣＰＵ５６」は、本願発明の構成Ｄの「初期化処理実行手段」としての機能を有する。
（ｅ）引用発明の「異常入賞」は、本願発明の「エラー」に相当するといえるから、引用発明の「可変入賞装置制御手段によって可変入賞装置が開放状態に制御されていないときに、入賞検出手段が入賞検出信号を出力したことにもとづいて、異常入賞が発生したと判定する」ことは、本願発明の「所定のエラーが発生しているか否かを判定する」ことに相当する。
　また、引用発明の「所定の異常状態（例えば、磁気異常、振動異常、異常開放）」は、本願発明の「エラー」に相当するといえるから、引用発明の「遊技機において異常入賞と異なる所定の異常状態（例えば、磁気異常、振動異常、異常開放）が発生したか否かを判定する」ことは、本願発明の「所定のエラーが発生しているか否かを判定する」ことに相当する。
　よって、引用発明の「異常入賞判定手段」及び「異常状態判定手段」は、本願発明の「エラー判定手段」に相当する。
（ｆ）上記（ｅ）での検討を踏まえると、引用発明の「異常入賞判定手段によって異常入賞が発生したと判定されたこと、または、異常状態判定手段によって所定の異常状態（磁気異常、振動異常、異常開放）が発生したと判定されたこと」は、本願発明の「前記エラー判定手段によって前記所定のエラーが発生していると判定されたこと」に相当する。
　そうすると、引用発明の「異常入賞判定手段によって異常入賞（異常入賞、始動異常入賞）が発生したと判定されたこと、または、異常状態判定手段によって所定の異常状態（磁気異常、振動異常、異常開放）が発生したと判定されたことにもとづいて遊技機の外部に設けられている外部装置に出力する異常信号」は、本願発明の「前記エラー判定手段によって前記所定のエラーが発生していると判定されたこと」にもとづいて、「外部に」「出力する」「セキュリティ信号」に相当するといえる。
　一方、引用発明は、その構成ｄによれば、「電源が投入され電力供給が開始されると、入力ポートを介して入力されるクリアスイッチの出力信号の状態を確認し、その確認においてオンを検出した場合には、初期化処理としてＲＡＭクリア処理を行う」ものであるから、引用発明の構成ｆの「初期化処理が実行されてバックアップＲＡＭがクリアされ」る「初期化処理」は、「電源が投入され電力供給が開始されると、入力ポートを介して入力されるクリアスイッチの出力信号の状態を確認し、その確認においてオンを検出した場合」に行われるものを含むものであり、上記（ｄ）での検討を踏まえると、本願発明の「初期化処理実行手段によって」「実行され」る「初期化処理」を含んでいるといえる。
　そして、引用発明の「異常信号と同じ信号」は、「異常信号」といえるから、上記の検討より本願発明の「セキュリティ信号」に相当する。そうすると、引用発明の「初期化処理が実行されてバックアップＲＡＭがクリアされたことにもとづいて」、「外部出力する」「異常信号と同じ信号」は、本願発明の「前記初期化処理実行手段によって前記初期化処理が実行されたこと」にもとづいて、「外部に」「出力する」「セキュリティ信号」に相当するといえる。
　また、引用発明の「初期化処理が実行されてバックアップＲＡＭがクリアされたこと」及び「異常入賞判定手段によって異常入賞が発生したと判定されたこと」は、いずれもそれによって「信号を外部出力する」ものであるから、本願発明の「信号出力条件が成立したこと」に相当する。
　よって、引用発明の「外部出力手段」は、本願発明の「セキュリティ信号外部出力手段」に相当する。
（ｇ）引用発明の「通常状態であるときと比較して可変入賞球装置１５が長い時間開放状態とされ、それによって、遊技球が第２始動入賞口１４に入賞可能になる（始動入賞し易くなる）時短状態（時間短縮状態）」は、「第２始動入賞口１４」に「入賞すると可変表示を開始する」のであるから、本願発明の「可変表示が実行されやすい状態」に相当する。
　そうすると、引用発明の「時短状態（時間短縮状態）を示す時短フラグをセットする処理を行うとともに、時短フラグがセットされていれば、セットされていないときと比較して、可変入賞球装置１５の開放時間が長い開放パターンをセットする」ことは、本願発明の「可変表示が実行されやすい状態に制御可能」であることに相当する。
　よって、引用発明の構成ｇの「ＣＰＵ５６」は、本願発明の構成Ｇの「状態制御手段」の機能を有する。
（ｈ）上記（ｇ）より、引用発明の「時短状態」は、本願発明の「可変表示が実行されやすい状態」に相当する。
　そうすると、引用発明の「時短状態中」「であることを通知するための信号である時短信号」は、「時短状態中」であることを示すものであるから、本願発明の「可変表示が実行されやすい状態に制御されているときに」、「出力」される「状態信号」に相当する。
　そして、引用発明の「情報出力回路６４」は、「時短信号」を「情報出力処理（ステップＳ３０）によって、遊技制御用マイクロコンピュータ５６０から情報端子盤３４を介して外部に出力」するものであるから、本願発明の「外部に状態信号を出力する」「状態信号外部出力手段」に相当する。
　よって、引用発明の「情報出力回路６４」は、本願発明の「状態信号外部出力手段」に相当する。
（ｉ）上記（ａ）での検討を踏まえると、引用発明の「払出条件が成立（例えば、遊技球が入賞口に入賞）した」ときは、本願発明の「前記付与条件が成立したとき」に相当する。
　そして、賞球払出の個数は、賞球数に係る情報といえるから、引用発明の「遊技媒体を遊技者に払い出すときに、１０個の賞球払出が行われる度」に出力される「賞球信号」は、賞球数に係る情報が所定数に達すると出力される信号といえる。
　一方、本願発明の「遊技媒体の付与予定数」は、賞球数に係る情報といえるから、「当該付与条件の成立により遊技媒体の付与予定数が所定数に達することを示す条件成立信号」は、賞球数に係る情報が所定数に達することを示す信号といえる。
　そして、引用発明の「ホールコンピュータに出力する」ことは、本願発明の「外部出力する」ことに相当する。
　そうすると、引用発明の構成ｉと、本願発明の構成Ｉは、「前記付与条件が成立したときに、賞球数に係る情報が所定数に達することを示す信号を外部出力する手段」を備える点で共通する。
（ｊ）引用発明の「大当り判定用乱数や、はずれ図柄決定用の乱数、大当り種別決定用の乱数、変動パターン決定用の乱数等」は、本願発明の「可変表示に関する情報」に相当する。
　そして、引用発明の「乱数」を「格納する保存領域を有する」ことは、本願発明の「保留記憶として記憶可能」であることに相当する。
　よって、引用発明の「保留記憶バッファ」は、本願発明の「保留記憶手段」に相当する。
（ｋ）上記（ａ）での検討を踏まえると、引用発明の「大当り（通常大当り、確変大当りまたは突然確変大当り）とする」ことは、本願発明の「有利状態に制御する」ことに相当する。
　また、上記（ｊ）より、引用発明の構成ｊにおける、「格納」された「大当り判定用乱数」、「大当り種別決定用の乱数」は、本願発明の「保留記憶」に相当するといえるから、引用発明の「読み出」される「大当り判定用乱数」、「大当り種別決定用乱数」は、本願発明の「前記保留記憶手段が記憶する保留記憶」に相当する。
　そうすると、引用発明の「大当り判定用乱数を読み出し、あらかじめ決められている大当り判定値と大当り判定用乱数とを比較し、それらが一致したら大当り（通常大当り、確変大当りまたは突然確変大当り）とすることに決定し、大当り種別決定用乱数を読み出し、大当り種別決定用乱数にもとづいて、大当り種別を決定する」ことは、本願発明の「前記保留記憶手段が記憶する保留記憶にもとづいて、前記有利状態に制御するかを決定する」ことに相当する。
　よって、引用発明の構成ｋの「ＣＰＵ５６」は、本願発明の構成Ｋの「決定手段」としての機能を有する。
（ｍ）引用発明の「特別図柄の可変表示が開始できる状態になると、保留記憶数を確認し、保留記憶数が０でない場合には、大当りとするか否か決定」することは、本願発明の構成Ｋの「前記保留記憶手段が記憶する保留記憶にもとづいて、前記有利状態に制御するかを決定する」ことに相当するから、「決定手段」により「決定」しているといえる。
　そして、引用発明の「可変表示を開始し、変動時間が経過すると可変表示を停止して停止図柄を導出表示させる」ことは、本願発明の「可変表示を実行する」ことに相当する。
　そうすると、引用発明の「大当りとするか否か決定し、停止図柄が「はずれ図柄」、「大当り図柄」、「突然確変大当り図柄」、「小当り図柄」のいずれかによって変動パターンを決定し、可変表示を開始し、変動時間が経過すると可変表示を停止して停止図柄を導出表示させる」ことは、本願発明の「決定手段の決定結果にもとづ」く「可変表示」を実行しているといえる。
　よって、引用発明の構成ｍの「ＣＰＵ５６」は、本願発明の構成Ｍの「可変表示実行手段」としての機能を有する。
（ｎ）引用発明の「リーチを伴う変動パターン」は、特定表示結果が導出表示される可能性があることを示唆するものであることは遊技機の技術分野において技術常識であるから、「リーチを伴う変動パターン」に「決定」されることは、「予告演出」が「実行」されることに相当するといえる。
　また、「リーチを伴わない変動パターン」もあることから、引用発明の「ＣＰＵ５６」は、「予告演出」の「実行」を制御しているといえる。
　よって、引用発明の構成ｎと、本願発明の構成Ｎは、予告演出の実行を制御可能な予告演出制御手段の点で共通する。
（ｏ，ｏ１）上記（ｅ）より、引用発明の「異常入賞判定手段」及び「異常入賞」は、本願発明の「エラー判定手段」及び「エラー」に、また、引用発明の「異常状態判定手段」及び「所定の異常状態（例えば、磁気異常、振動異常、異常開放）」は、本願発明の「エラー判定手段」及び「エラー」に、それぞれ、相当する。
　そして、上記（ｆ）より、引用発明の「異常信号」、「外部出力手段」は、本願発明の「セキュリティ信号」、「セキュリティ信号外部出力手段」に、それぞれ、相当する。
　また、引用発明の「共通のコネクタＣＮ９」、「ホールコンピュータに出力」することは、本願発明の「共通の出力端子」、「外部に出力」することに、それぞれ、相当する。
　そうすると、引用発明の「異常入賞判定手段によって異常入賞が発生したと判定されたときと異常状態判定手段によって所定の異常状態（例えば、磁気異常、振動異常、異常開放）が発生したと判定されたとき」は、「エラー判定手段」によって「エラー」が発生したと判定されたときと、他の「エラー判定手段」によって他の「エラー」が発生したと判定されたとき、といえる。
　そして、引用発明の「異常状態判定手段によって所定の異常状態（例えば、磁気異常、振動異常、異常開放）が発生したと判定されたとき」、すなわち、他の「エラー判定手段」によって他の「エラー」が発生したと判定されたときは、「異常信号」が出力されるので、信号出力条件が成立したときといえる。
　一方、本願発明の「前記初期化処理実行手段によって前記初期化処理が実行されたとき」は、「セキュリティ信号」が出力されるので、信号出力条件が成立したときといえる。
　よって、引用発明の構成ｏ，ｏ１と、本願発明の構成Ｏ，Ｏ１は、「他の信号出力条件が成立したときと、前記エラー判定手段によって前記所定のエラーが発生していると判定されたときとで、共通の出力端子から前記セキュリティ信号を外部に出力するセキュリティ信号外部出力手段」の点で共通する。
（ｏ，ｏ２）上記（ｅ）より、引用発明の「異常入賞判定手段」及び「異常入賞」は、本願発明の「エラー判定手段」及び「エラー」に、また、引用発明の「異常状態判定手段」及び「所定の異常状態（例えば、磁気異常、振動異常、異常開放）」は、本願発明の「エラー判定手段」及び「エラー」に、それぞれ、相当する。
　そして、上記（ｆ）より、引用発明の「異常信号」、「外部出力手段」は、本願発明の「セキュリティ信号」、「セキュリティ信号外部出力手段」に、それぞれ、相当する。
　また、上記（ｏ，ｏ１）より、引用発明の「異常状態判定手段によって所定の異常状態（例えば、磁気異常、振動異常、異常開放）が発生したと判定されたとき」と、本願発明の「前記初期化処理実行手段によって前記初期化処理が実行されたとき」は、いずれも、信号出力条件が成立したときといえる。
　そして、引用発明は、「所定の異常信号を出力しているときに、さらに、異常入賞判定手段によって異常入賞が発生したと判定されたときには、最後に異常入賞判定手段によって所定の異常状態が発生したと判定されたときから、外部装置に所定の異常信号を所定期間出力」するから、先に出力されていた「所定の異常信号」については、その出力が「延長」されているといえる。
　よって、引用発明の構成ｏ，ｏ２と、本願発明の構成Ｏ，Ｏ２は、「他の信号出力条件が成立したことにもとづいて前記セキュリティ信号を出力しているときに、前記エラー判定手段によって前記所定のエラーが発生していると判定された場合に、前記セキュリティ信号の出力期間を延長するセキュリティ信号外部出力手段」の点で共通する。
（ｐ）上記（ａ）より、引用発明の「大当り遊技状態」は、本願発明の「有利状態」に相当する。
　そして、引用発明の「特別可変入賞球装置２０が短い期間だけ２回開放されるラウンドが２ラウンドだけ継続される突然確変大当り」は、「一定時間が経過するまで、または、所定個数の遊技球が大入賞口に入賞するまで特別可変入賞球装置２０が開放されるラウンドが１５ラウンド継続される確変大当り、通常大当り」よりも低い遊技価値を付与しているから、引用発明の「一定時間が経過するまで、または、所定個数の遊技球が大入賞口に入賞するまで特別可変入賞球装置２０が開放されるラウンドが１５ラウンド継続される確変大当り、通常大当り」、「特別可変入賞球装置２０が短い期間だけ２回開放されるラウンドが２ラウンドだけ継続される突然確変大当り」は、それぞれ、本願発明の「第１有利状態」、「第２有利状態」に相当する。
　よって、引用発明の構成ｐは、本願発明の構成Ｐに相当する。
（ｒ）引用発明の「パチンコ遊技機１」は、本願発明の「遊技機」に相当する。
　上記（ａ）〜（ｒ）の対比により、本願発明と引用発明とは、
「Ａ　可変表示を行い、遊技者にとって有利な有利状態に制御可能であるとともに、付与条件が成立したことにもとづいて遊技媒体を付与可能な遊技機であって、
Ｂ　制御を行う際に発生する変動データを記憶する変動データ記憶手段と、
Ｃ　操作に応じて操作信号を出力する初期化操作手段と、
Ｄ　電力供給が開始されたときに、前記初期化操作手段からの前記操作信号が入力されたことにもとづいて、前記変動データ記憶手段の記憶内容を初期化する初期化処理を実行する初期化処理実行手段と、
Ｅ　所定のエラーが発生しているか否かを判定するエラー判定手段と、
Ｆ　少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段と、
Ｇ　可変表示が実行されやすい状態に制御可能な状態制御手段と、
Ｈ　可変表示が実行されやすい状態に制御されているときに、外部に状態信号を出力する状態信号外部出力手段と、
Ｉ’　前記付与条件が成立したときに、賞球数に係る情報が所定数に達することを示す信号を外部出力する手段と、
Ｊ　可変表示に関する情報を保留記憶として記憶可能な保留記憶手段と、
Ｋ　前記保留記憶手段が記憶する保留記憶にもとづいて、前記有利状態に制御するかを決定する決定手段と、
Ｍ　前記決定手段の決定結果にもとづいて可変表示を実行する可変表示実行手段と、
Ｎ’　予告演出の実行を制御可能な予告演出制御手段とを備え、
Ｏ’　前記セキュリティ信号外部出力手段は、
Ｏ１’　他の信号出力条件が成立したときと、前記エラー判定手段によって前記所定のエラーが発生していると判定されたときとで、共通の出力端子から前記セキュリティ信号を外部に出力し、
Ｏ２’　他の信号出力条件が成立したことにもとづいて前記セキュリティ信号を出力しているときに、前記エラー判定手段によって前記所定のエラーが発生していると判定された場合に、前記セキュリティ信号の出力期間を延長し、
Ｐ　前記有利状態には、所定の遊技価値を付与する第１有利状態と、前記第１有利状態よりも低い遊技価値を付与する第２有利状態とがある
Ｒ　遊技機。」
である点で一致し、以下の点で相違する。
［相違点１］　（構成Ｉ）
　賞球数に係る情報が所定数に達することを示す信号を外部出力する手段に関し、本願発明は、付与条件の成立により遊技媒体の付与予定数が所定数に達することを示す条件成立信号を外部出力するのに対し、引用発明は、賞球払出が行われた数に係る情報を外部出力している点。
［相違点２］　（構成Ｌ、Ｎ、Ｑ）
　本願発明は、決定手段の決定より前に、有利状態に制御されるかを判定する判定手段と、判定手段の判定結果にもとづいて、判定の対象となった可変表示を開始する前に予告演出の実行を制御可能な予告演出制御手段とを備え、予告演出制御手段は、保留記憶手段が記憶する保留記憶の数が特定数となっている場合に予告演出を制限するとともに、判定手段によって第２有利状態に制御されると判定された場合に予告演出を制限するのに対し、引用発明は、このような特定がされていない点。
［相違点３］　（構成Ｏ，Ｏ１）
　セキュリティ信号外部出力手段に関し、本願発明は、初期化処理実行手段によって初期化処理が実行されたときとエラー判定手段によって所定のエラーが発生していると判定されたときとで、共通の出力端子からセキュリティ信号を外部に出力するのに対し、引用発明は、異常入賞判定手段によって異常入賞が発生したと判定されたときと異常状態判定手段によって所定の異常状態が発生したと判定されたときとで、遊技機に設けられた共通のコネクタＣＮ９を用いて異常信号をホールコンピュータに出力する点。
［相違点４］　（構成Ｏ，Ｏ２）
　セキュリティ信号外部出力手段に関し、本願発明は、初期化処理実行手段によって初期化処理が実行されたことにもとづいてセキュリティ信号を出力しているときに、エラー判定手段によって所定のエラーが発生していると判定された場合に、セキュリティ信号の出力期間を延長するのに対し、引用発明は、異常入賞判定手段によって異常入賞が発生したと判定されたときまたは異常状態判定手段によって所定の異常状態が発生したと判定されたときから、外部装置に所定の異常信号を所定期間出力可能とし、所定の異常信号を出力しているときに、さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に所定の異常信号を所定期間出力する点。
第６　判断
　上記相違点について検討する。
１　相違点１について
　上記「第４　２　引用文献２の記載事項（１）」より、引用文献２には、「遊技者の操作で発射された遊技球が入賞すると、賞球数量情報手段９は賞球指示払出数計数手段６より転送された賞球指示払出数を加算し、加算値である賞球指示払出数の所定単位数量毎に賞球数量情報を主制御部４から球払出制御部２０へのコマンド送信とは無関係に前記外部情報基板を経由しホールコンピュータ５０に出力するパチンコ機。」が記載されている（以下「引用文献２記載の事項」という。）。
　引用文献２記載の事項において「遊技者の操作で発射された遊技球が複数の入賞口１の何れかに入賞する」ことは、本願発明の構成Ｉの「付与条件の成立」に相当する。また、引用文献２記載の事項の「賞球指示払出数」は本願発明の構成Ｉの「付与予定数」に相当する。そうすると引用文献２記載の事項で「賞球指示払出数の所定単位数量毎に賞球数量情報」を「ホールコンピュータ５０に出力する」ことは、本願発明において「付与予定数が所定数に達することを示す条件成立信号」を「外部出力する」ことに相当する。したがって引用文献２記載の事項は、本願発明の構成Ｉに相当する。 
　そして引用発明も、引用文献２記載の事項も、賞球数に係る情報を外部装置で管理するために、外部に出力するものであるから、より正確に情報を管理するために、引用発明の賞球数に係る情報を外部に出力する構成に、引用文献２記載の事項の「賞球指示払出数の所定単位数量毎に賞球数量情報」を「ホールコンピュータ５０に出力する」構成を付加することにより、上記相違点１に係る本願発明の構成とすることは当業者が容易になし得たことである。  
２　相違点２について
　遊技機の技術分野において、決定手段の決定より前に、有利状態に制御されるかを判定する判定手段と、判定手段の判定結果にもとづいて、判定の対象となった可変表示を開始する前に予告演出の実行を制御可能な予告演出制御手段とを備え、予告演出制御手段は、必要以上に長い期間に亘って予告演出を実行することを避けるために、保留記憶手段が記憶する保留記憶の数が特定数となっている場合に、予告演出を制限するとともに、期待感を必要以上に煽り過ぎないように、判定手段によって第２有利状態に制御されると判定された場合に予告演出を制限する点は、本願の遡及日前における周知技術（例えば、特開２０１１−１９６７２号公報（【０２２４】、【０２２９】、【０２３２】、【０３６９】、【０３７６】、図２２、図４０等）、特開２０１１−１９６７３号公報（【０２２４】、【０２２９】、【０２３２】、【０３６９】、【０３７６】、図２２、図４０等）、特開２０１１−１９６７４号公報（【０２２３】、【０２２８】、【０２３１】、【０３６８】、【０３７５】、図２２、図４０等）には、変動表示結果を始動入賞時にあらかじめ判定し、その判定結果にもとづいて連続予告演出を実行する際に、大当りの中でも期待度の低い「突然確変大当り」となる変動表示に対しては、期待感を煽り過ぎないようにするために、連続予告演出を実行しないことが記載されている。さらに、保留記憶が５以上溜まっている場合にも、連続予告演出を実行しないことが記載されている。そして、こうすることによって、保留記憶が５以上溜まっている場合に連続予告演出を開始し、当該保留記憶に基づく可変表示が開始されるまでの長い期間に亘って予告演出を実行することにより遊技が間延びして予告演出に対する期待感が低下してしまうことを避けるという作用を奏することは明らかである。また、長い期間に亘って予告演出を実行して遊技が間延びすることを避けるために、保留記憶の数が特定数となっている場合に予告演出を制限する点については、特開２００８−３０１８４６号公報（【０３０４】には、保留記憶数カウンタの値が所定値以上のときは所定値以上でないときよりも予告演出を低い割合で実行すると決定することが記載されている。）、特開２００８−２５３４６６号公報（【０３４３】には、合算保留記憶数が多いときには、予告演出を実行する頻度を低減していることが記載されている。）等も、第２有利状態に制御されると判定された場合に予告演出を制限する点については、特開２０１０−２８４２４６号公報（【０１４７】には、予告報知が行われて遊技者の期待感を高めたにもかかわらず、結果として遊技者にそれ程有利でない２Ｒ確変の大当りが発生してしまいかえって不満感を高めてしまうことを防止するために、確率変動状態中以外において２Ｒ確変の大当りを対象とした連続予告は実行しないようにしていることが記載されている。）、特開２０１０−１３１２７３号公報（【０１３２】、【０２４０】には、遊技者に付与する遊技価値の高い大当りが発生する場合に先読み予告を高い割合で実行するように構成して遊技者に先読み予告に対し一層高い期待を持たせるようにするために、突然確変大当りのときは、先読み予告が実行されないようにすることが記載されている。）等も参照されたい。）である。
　一方、引用文献１には、変動パターンを決定する際に、合算保留記憶数カウンタの値が所定個以上であれば、短縮はずれ用変動パターン判定テーブルをセットすること（「第４　１　引用文献１の記載事項（２２）【０２９５】、【０２９６】）、はずれの変動パターンとして、リーチを伴わない変動パターンが設けられているが、大当りの変動パターンとしては、リーチを伴う変動パターンしか設けられていないこと（「第４　１　引用文献１の記載事項（１６）【０１７６】、【０１７７】」）が記載されていることから、引用発明においても、保留記憶数が多くなっても遊技が間延びすることを避けるという課題、及び、期待度の低い変動表示においては、期待感を煽り過ぎないようにするという課題が、内在しているといえる。
　そして、保留記憶手段が記憶する保留記憶の数が特定数となっている場合に予告演出を制限することも、判定手段によって第２有利状態に制御されると判定された場合に予告演出を制限することも、また、その両方の構成を採用することも片方のみの構成を採用することも、上記の通りいずれも周知技術であるから、これらをどのように組み合わせるかは、当業者における設計事項にすぎない。
　そうすると、引用発明の判定の対象となった可変表示におけるリーチを伴う予告演出に加えて、判定の対象となった可変表示を開始する前に行う予告演出である、上記周知技術を適用することにより、上記相違点２に係る本願発明の構成とすることは当業者が容易になし得たことである。
３　相違点３について
　引用発明では、本願発明の「セキュリティ信号」に相当する「異常信号」の出力に関して、「異常入賞の発生および遊技機の状態異常の発生など複数の異常が発生したことを外部装置に出力できるとともに、外部装置に情報を出力するための機構の部品数の増加や配線作業の複雑化を防ぐ」（「第４　１　引用文献１の記載事項（１）【０００８】」）ために、「異常入賞判定手段によって異常入賞が発生したと判定されたとき」と「異常状態判定手段によって所定の異常状態（例えば、磁気異常、振動異常、異常開放）が発生したと判定されたとき」とで、「遊技機に設けられた共通のコネクタＣＮ９を用いて異常信号をホールコンピュータに出力」するようにしている（構成ｏ１）。
　ところで、引用発明では、「初期化処理が実行されてバックアップＲＡＭがクリアされた」ときにも、「異常入賞判定手段によって異常入賞（異常入賞、始動異常入賞）が発生したと判定されたこと、または、異常状態判定手段によって所定の異常状態（磁気異常、振動異常、異常開放）が発生したと判定されたことにもとづいて遊技機の外部に設けられている外部装置に出力する異常信号と同じ信号」すなわち「異常信号」と同じ形式の「信号」を出力する（構成ｆ）ものである。
　そして、引用発明は、異なるタイミングで発生する異なる種類の「異常信号」である、「異常入賞判定手段によって異常入賞（異常入賞、始動異常入賞）が発生したと判定されたこと」にもとづく「異常信号」と、「異常状態判定手段によって所定の異常状態（磁気異常、振動異常、異常開放）が発生したと判定されたこと」にもとづく「異常信号」を、上記の課題を解決するために、共通のコネクタＣＮ９を用いて出力するものである。
　そうすると、「異常信号」と同じ形式の「信号」である「初期化処理が実行されてバックアップＲＡＭがクリアされた」ときに出力される「信号」も、「異常入賞判定手段によって異常入賞（異常入賞、始動異常入賞）が発生したと判定されたこと」にもとづく「異常信号」と、「異常状態判定手段によって所定の異常状態（磁気異常、振動異常、異常開放）が発生したと判定されたこと」にもとづく「異常信号」とは異なるタイミングで発生する、異なる種類の「信号」であるといえる。したがって、異なるタイミングで発生する異なる種類の「異常信号」である、「異常入賞判定手段によって異常入賞（異常入賞、始動異常入賞）が発生したと判定されたこと」にもとづく「異常信号」と、「異常状態判定手段によって所定の異常状態（磁気異常、振動異常、異常開放）が発生したと判定されたこと」にもとづく「異常信号」を、共通のコネクタＣＮ９を用いて出力することに倣って、「異常信号」と同じ形式の「信号」である「初期化処理が実行されてバックアップＲＡＭがクリアされた」ときに出力される「信号」を、これらの「異常信号」と共通のコネクタＣＮ９を用いて出力するようにして、上記相違点３に係る本願発明の構成とすることは当業者が容易になし得たことである。
４　相違点４について
　引用発明では、本願発明の「セキュリティ信号」に相当する「異常信号」の出力に関して、「異常入賞判定手段によって異常入賞が発生したと判定されたときまたは異常状態判定手段によって所定の異常状態が発生したと判定されたときから、外部装置に所定の異常信号を所定期間出力可能とし、所定の異常信号を出力しているときに、さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に所定の異常信号を所定期間出力」するとしている（構成ｏ２）。
　この構成に関し、上記「第４　１　引用文献１の記載事項（３）【００１１】」の「図７０に示すように、異常を検出してから３０秒間を経過するまで異常信号を外部出力し、異常信号の外部出力開始してから３０秒を経過するまでに他の異常を検出した場合には、最後に異常を検出してから３０秒を経過するまで異常信号を外部出力する」の記載、同「（２８）図７０」の記載を参酌すると、磁気異常を検出して異常信号を出力している間に、異常入賞を検出したときには、磁気異常を検出したときに出力していた異常信号を延長して出力しているといえる。
　そして、上記「３」での検討を踏まえると、引用発明では、「初期化処理が実行されてバックアップＲＡＭがクリアされた」ときにも、「異常入賞判定手段によって異常入賞が発生したと判定されたことにもとづいて遊技機の外部に設けられている外部装置に出力する異常信号と同じ信号」すなわち「異常信号」を出力する（構成ｆ）のであるから、「初期化処理が実行されてバックアップＲＡＭがクリアされたことにもとづいて」「異常信号」を出力しているときに、他の異常信号を出力しているときと同様に、「さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に所定の異常信号を所定期間出力」するようにして、上記相違点４に係る本願発明の構成とすることは当業者が容易になし得たことである。
５　請求人の主張について
　請求人は、平成３０年７月２７日付け意見書において、引用文献１〜５に記載された発明および周知技術にもとづいて、必要以上に長い期間にわたって予告演出（先読み予告演出）を実行することを防止し、却って予告演出（先読み予告演出）に対する期待感を低下させてしまうことを防止したり、低い遊技価値を付与する第２有利状態に対して必要以上に期待感を高めることがないようにし、予告演出（先読み予告演出）に対する期待感を低下させてしまうことを防止したりするという本願発明の構成に想到することは困難なことである旨主張する。
　しかしながら、上記「２」にて検討したとおり、保留記憶手段が記憶する保留記憶の数が特定数となっている場合に予告演出を制限することも、判定手段によって第２有利状態に制御されると判定された場合に予告演出を制限することも周知技術であり、それによって、必要以上に長い期間にわたって予告演出を実行することを防止したり、低い遊技価値を付与する第２有利状態に対して必要以上に期待感を高めることがないようにするという上記請求人が主張する効果も当該周知技術から予測し得る範囲のものであり格別なものとはいえない。
　よって、請求人の主張は採用できない。
第７　むすび
　以上のとおりであるから、本願発明は、引用発明、引用文献２記載の事項及び周知技術に基づいて当業者が容易に発明をすることができたものであるから、特許法第２９条第２項の規定により特許を受けることができない。
　よって、結論のとおり審決する。